(57)【要約】【課題】ディスク情報の読み取り段階を容易に把握することが可能な光ディスク装置を提供する。【解決手段】ディスク情報の読み取り中であることを表示する複数個の７セグメント表示器３１０〜３１３を備え、ディスク情報の読み取り段階に応じて、７セグメント表示器３１０〜３１３の外周を構成するセグメントａ〜ｌを順次点灯させてゆくことにより、読み取り進行状況を表示する。ディスク情報の読み取り開始から終了までの間に、７セグメント表示器３１０〜３１３の点灯セグメントにより、環状の表示ループＬが形成される。【選択図】    図５
2004259334.tif 000002
【特許請求の範囲】
【請求項１】
光ディスクが挿入されてから再生が開始されるまでの間に、当該光ディスクのディスク情報を読み取り、読み取ったディスク情報に基づいて光ディスクの再生を行う光ディスク装置において、
前記ディスク情報を読み取っている間に、読み取り中であることを表示する複数個の７セグメント表示器からなる表示部を備え、
前記表示部は、ディスク情報の読み取り段階に応じて、複数個の７セグメント表示器の外周を構成する点滅中のセグメントを順次連続点灯させてゆくことにより、読み取りの進行状況を表示し、
ディスク情報の読み取り開始から終了までの間に、前記７セグメント表示器の連続点灯したセグメントで環状の表示ループが形成されることを特徴とする光ディスク装置。
【請求項２】
光ディスクが挿入されてから再生が開始されるまでの間に、当該光ディスクのディスク情報を読み取り、読み取ったディスク情報に基づいて光ディスクの再生を行う光ディスク装置において、
前記ディスク情報を読み取っている間に、読み取り中であることを表示する複数個の７セグメント表示器からなる表示部を備え、
前記表示部は、ディスク情報の読み取り段階に応じて、複数個の７セグメント表示器の所定のセグメントを順次点灯させてゆくことにより、読み取りの進行状況を表示することを特徴とする光ディスク装置。
【請求項３】
請求項２に記載の光ディスク装置において、
複数個の７セグメント表示器の外周を構成するセグメントを順次点灯させてゆくことにより、読み取りの進行状況を表示し、
ディスク情報の読み取り開始から終了までの間に、前記７セグメント表示器の点灯したセグメントで環状の表示ループが形成されることを特徴とする光ディスク装置。
【請求項４】
請求項１ないし請求項３のいずれかに記載の光ディスク装置において、
前記７セグメント表示器により、読み取りの進行状況を表示するとともに、当該読み取りの段階を示すステータス情報を表示することを特徴とする光ディスク装置。
【発明の詳細な説明】
【０００１】
【発明の属する技術分野】
本発明は、例えばＤＶＤ（Ｄｉｇｉｔａｌ  Ｖｅｒｓａｔｉｌｅ  Ｄｉｓｋ）プレーヤのような光ディスク装置に関し、特に、ディスク情報の読み取り進行状況を表示する技術に関するものである。
【０００２】
【従来の技術】
ＤＶＤプレーヤ等の光ディスク装置においては、ディスクが挿入されてから再生が開始されるまでの間に、ディスクの有無や、ディスク種別、ＴＯＣ（Ｔａｂｌｅ  ｏｆ  Ｃｏｎｔｅｎｔｓ）情報などのディスク情報がまず読み取られ、このディスク情報に基づいてディスクの再生が行われる。また、ディスク情報を読み取っている間に、読み取り中であることが表示されるようになっている。このような表示に関する技術は、例えば下記の特許文献１、特許文献２に記載されている。特許文献１のディスク装置では、ディスクへのアクセス時にＬＥＤ（発光ダイオード）を点灯させて、ディスクのリード／ライト中であることを表示するようにしている。特許文献２のディスク装置では、図１１に示すように、７セグメント表示器５０の中央の１セグメントを点滅させることにより、ディスク情報の読み取り中であることを表示するようにしている。
【０００３】
【特許文献１】
特開２０００−２０７８０９号公報
【特許文献２】
特開平１０−１７２２２３号公報
【０００４】
【発明が解決しようとする課題】
しかしながら、上記従来の装置においては、ユーザは、表示素子の点灯や点滅によりディスク情報の読み取り中であることはわかるが、読み取りがどのステップまで進んでいるのかを知ることはできなかった。このため、再生が開始されるまでにどれ位の待ち時間を要するかを予測することができないという不便さがあった。
【０００５】
本発明は、上記課題を解決するものであって、その目的とするところは、ディスク情報の読み取り段階を容易に把握することが可能な光ディスク装置を提供することにある。
【０００６】
【課題を解決するための手段】
本発明は、光ディスクが挿入されてから再生が開始されるまでの間に、光ディスクのディスク情報を読み取り、読み取ったディスク情報に基づいて光ディスクの再生を行う光ディスク装置において、ディスク情報を読み取っている間に、読み取り中であることを表示する複数個の７セグメント表示器からなる表示部を備え、この表示部が、ディスク情報の読み取り段階に応じて、複数個の７セグメント表示器の所定のセグメントを順次点灯させてゆくことにより、読み取りの進行状況を表示するようにしたものである。
【０００７】
このようにすれば、７セグメント表示器のセグメントが順次点灯してゆくことで読み取りの進行状況を表示できるので、ユーザはこの点灯状態を見ることによって、ディスク情報の読み取り中であることがわかるだけでなく、読み取りがどの段階まで進んでいるのかを一目瞭然に把握することが可能となり、再生開始までの待ち時間を容易に予測することができるようになる。
【０００８】
本発明の好ましい実施形態においては、複数個の７セグメント表示器の外周を構成するセグメントを順次点灯させてゆくことにより、読み取りの進行状況を表示し、ディスク情報の読み取り開始から終了までの間に、７セグメント表示器の点灯したセグメントで環状の表示ループが形成される。これによると、読み取りの進行状況がループで表示されるため、進行状況を一直線で表示する場合に比べて、７セグメント表示器の個数を減らすことができる。
【０００９】
また、本発明の好ましい実施形態においては、複数個の７セグメント表示器の外周を構成する点滅中のセグメントを順次連続点灯させてゆくことにより、読み取りの進行状況を表示し、ディスク情報の読み取り開始から終了までの間に、７セグメント表示器の連続点灯したセグメントで環状の表示ループが形成される。これによると、セグメントの点滅によりディスク情報の読み取り中であることが視覚的にわかり、点滅中のセグメントが順次連続点灯に切り替えられてゆくことにより、読み取りの進行状況を視覚的に把握することができるので、ユーザにとってよりわかり易い表示となる。
【００１０】
さらに、本発明においては、７セグメント表示器により、読み取りの進行状況を表示するとともに、当該読み取りの段階を示すステータス情報を表示するようにしてもよい。これによると、現在読み取られているディスク情報が何であるかをステータス情報から知ることができる。
【００１１】
【発明の実施の形態】
図１は、本発明の実施形態に係る光ディスク装置Ａの電気的構成を示したブロック図である。ここでは、光ディスク装置ＡとしてＤＶＤプレーヤを例に挙げている。図１において、１はＤＶＤ、ＤＶＤ−ＲＡＭ、ＤＶＤ−ＲＷ等の光ディスク、２は光ディスク１へ光ビームを照射するとともにその反射光を受光する光ピックアップ、３は光ピックアップ２の動作を制御するピックアップ制御部、４は光ディスク１を回転させるディスクモータ、５はディスクモータ４を制御するディスクモータ制御部である。６は光ピックアップ２が光ディスク１から読み取った信号を再生したり、外部から入力される信号を光ディスク１に書き込む信号に変換したりする記録再生部である。７は記録再生動作の制御やサーボ制御等を行う制御手段としてのメインＣＰＵ、８は表示制御やキー操作制御等を行う制御手段としてのサブＣＰＵで、これらのＣＰＵ７、８は相互に通信を行なえるようになっている。９はＲＯＭやＲＡＭ等から構成されるメモリ、１０は各種情報を表示する表示部、１１はキースイッチ等から構成される操作部、１２はリモコン（図示省略）からの信号を受信するリモコン受信部である。
【００１２】
図２は、光ディスク装置Ａ（ＤＶＤプレーヤ）のフロントパネルを示す正面図である。フロントパネル１００には、光ディスク１を挿入するためのディスク挿入口２０と、上述した表示部１０および操作部１１が設けられている。
【００１３】
図３は、表示部１０の拡大図である。表示部１０には、７セグメント表示器３０が複数個並んで配列されている。各７セグメント表示器は、ＦＬＤ（蛍光管ディスプレイ）やＬＣＤ（液晶ディスプレイ）などの表示素子からなり、光ディスク１から読み取ったトラック番号やチャプター番号、再生時間、動作状態、現在時刻などの各種情報が表示される。そして、複数個の７セグメント表示器３０１〜３１３のうち、７セグメント表示器３１０〜３１３には、後述するように、光ディスク１のディスク情報の読み取り進行状況が表示される。
【００１４】
図４は、光ディスク１が挿入されてから再生が開始されるまでの間にディスク情報を読み取るステップの例を示している。ここでは、読み取り段階は、ディスク情報に対応して「０」〜「７」の８つのステータスからなる。ステータス「０」は、ディスク情報の読み取りが開始される段階である。ステータス「１」は、光ディスク１の有無が判別される段階である。ステータス「２」は、ディスクの種類が判別される段階である。ステータス「３」は、光ディスク１の所定領域に記録されているＯＰＣ（Ｏｐｔｉｍｕｍ  Ｐｏｗｅｒ  Ｃｏｎｔｒｏｌ）情報やＴＯＣ（Ｔａｂｌｅ  ｏｆ  Ｃｏｎｔｅｎｔｓ）が読み込まれる段階である。ＯＰＣ情報は、光ディスク１への書き込みを行う場合の最適レーザーパワーを決定するための情報であり、ＴＯＣ情報は、光ディスク１に記録されているコンテンツの内容を表す情報である。
【００１５】
ステータス「４」は、光ディスク１からボリューム及びファイル構成ゾーンのデータが読み込まれる段階である。ボリューム及びファイル構成ゾーンは、ディスクのボリューム空間の先頭に置かれるセクタである。ステータス「５」は、光ディスク１からＶＭＧＩ（Ｖｉｄｅｏ  Ｍａｎａｇｅｒ  Ｉｎｆｏｒｍａｔｉｏｎ）が読み込まれる段階である。ＶＭＧＩは、全ビデオタイトルセットの内容を表すＶＭＧ（Ｖｉｄｅｏ  Ｍａｎａｇｅｒ）の制御情報である。ステータス「６」は、光ディスク１からＶＴＳＩ（Ｖｉｄｅｏ  Ｔｉｔｌｅ  Ｓｅｔ  Ｉｎｆｏｒｍａｔｉｏｎ）が読み込まれる段階である。ＶＴＳＩは、タイトルの集合であるＶＴＳ（Ｖｉｄｅｏ  Ｔｉｔｌｅ  Ｓｅｔ）の制御情報である。ステータス「７」は、ディスク情報の読み取りが終了した段階である。以上の各ステータスは、メインＣＰＵ７が管理する。
【００１６】
図５は、ディスク情報が読み取り中であることを表示する場合の表示の一例を示している。光ディスク装置Ａのディスク挿入口２０（図２）に光ディスク１が挿入されると、ディスク情報の読み取りが開始され、メインＣＰＵ７はサブＣＰＵ８へステータス情報として「０」を送る。サブＣＰＵ８は、このステータス情報を受け取ると、図５（Ａ）のように、７セグメント表示器３１０〜３１３の外周を構成するセグメントａ〜ｌのうち、７セグメント表示器３１０のセグメントａ、ｂを連続点灯させる。また、それ以外のセグメントｃ〜ｌについては、各セグメントをサイクリックに点滅させて、セグメント表示器３１０〜３１３の外周を点滅したセグメントが周回するような表示を行う。この表示により、ユーザは、ディスク情報が読み取り中であることを知ることができる。
【００１７】
次に、ディスクの有無を判別する段階に入ると、メインＣＰＵ７はサブＣＰＵ８へステータス情報として「１」を送る。サブＣＰＵ８は、このステータス情報を受け取ると、図５（Ｂ）のように、７セグメント表示器３１０〜３１３の外周を構成するセグメントａ〜ｌのうち、セグメントａ、ｂに加え、セグメントｃを連続点灯させる。また、それ以外のセグメントｄ〜ｌについては、前述のサイクリックな点滅状態を継続する。セグメントｃの点灯により、ユーザは、ディスク情報の読み取り段階が１つ進んだことを知る。
【００１８】
次に、ディスクの種類を判別する段階に入ると、メインＣＰＵ７はサブＣＰＵ８へステータス情報として「２」を送る。サブＣＰＵ８は、このステータス情報を受け取ると、図５（Ｃ）のように、７セグメント表示器３１０〜３１３の外周を構成するセグメントａ〜ｌのうち、セグメントａ、ｂ、ｃに加え、セグメントｄを連続点灯させる。また、それ以外のセグメントｅ〜ｌについては、前述のサイクリックな点滅状態を継続する。セグメントｄの点灯により、ユーザは、ディスク情報の読み取り段階がさらに１つ進んだことを知る。
【００１９】
次に、ＯＰＣ情報やＴＯＣ情報を読み取る段階に入ると、メインＣＰＵ７はサブＣＰＵ８へステータス情報として「３」を送る。サブＣＰＵ８は、このステータス情報を受け取ると、図５（Ｄ）のように、７セグメント表示器３１０〜３１３の外周を構成するセグメントａ〜ｌのうち、ａ〜ｄに加え、セグメントｅ、ｆを連続点灯させる。また、それ以外のセグメントｇ〜ｌについては、前述のサイクリックな点滅状態を継続する。セグメントｅ、ｆの点灯により、ユーザは、ディスク情報の読み取り段階がさらに１つ進んだことを知る。
【００２０】
次に、ボリューム及びファイル構成ゾーンのデータを読み取る段階に入ると、メインＣＰＵ７はサブＣＰＵ８へステータス情報として「４」を送る。サブＣＰＵ８は、このステータス情報を受け取ると、図５（Ｅ）のように、７セグメント表示器３１０〜３１３の外周を構成するセグメントａ〜ｌのうち、ａ〜ｆに加え、セグメントｇ、ｈを連続点灯させる。また、それ以外のセグメントｉ〜ｌについては、前述のサイクリックな点滅状態を継続する。セグメントｇ、ｈの点灯により、ユーザは、ディスク情報の読み取り段階がさらに１つ進んだことを知る。
【００２１】
次に、ＶＭＧＩを読み取る段階に入ると、メインＣＰＵ７はサブＣＰＵ８へステータス情報として「５」を送る。サブＣＰＵ８は、このステータス情報を受け取ると、図５（Ｆ）のように、７セグメント表示器３１０〜３１３の外周を構成するセグメントａ〜ｌのうち、ａ〜ｈに加え、セグメントｉを連続点灯させる。また、それ以外のセグメントｊ〜ｌについては、前述のサイクリックな点滅状態を継続する。セグメントｉの点灯により、ユーザは、ディスク情報の読み取り段階がさらに１つ進んだことを知る。
【００２２】
次に、ＶＴＳＩを読み取る段階に入ると、メインＣＰＵ７はサブＣＰＵ８へステータス情報として「６」を送る。サブＣＰＵ８は、このステータス情報を受け取ると、図５（Ｇ）のように、７セグメント表示器３１０〜３１３の外周を構成するセグメントａ〜ｌのうち、ａ〜ｉに加え、セグメントｊ、ｋ、ｌを連続点灯させる。これによって、７セグメント表示器３１０〜３１３の外周のセグメントａ〜ｌはすべて連続点灯状態となり、ユーザは、ディスク情報の読み取り段階が最後に至ったことを知る。
【００２３】
その後、メインＣＰＵ７はサブＣＰＵ８へステータス情報として「７」を送る。サブＣＰＵ８は、このステータス情報を受け取ると、各セグメントａ〜ｌの点灯状態をすべて消去して、読み取り進行状況の表示処理を終了し、次の動作（再生動作）における表示処理へ移行する（図示は省略）。
【００２４】
このようにして、図５の表示形態によれば、７セグメント表示器３１０〜３１３の各セグメントａ〜ｌが、ディスク情報の読み取り段階に応じて順次点灯してゆくことで読み取りの進行状況を表示できるので、ユーザはこの点灯状態を見ることによって、ディスク情報の読み取り中であることがわかるだけでなく、読み取りがどの段階まで進んでいるのかを一目瞭然に把握することが可能となり、再生開始までの待ち時間を容易に予測することができるようになる。
【００２５】
また、７セグメント表示器３１０〜３１３の外周を構成するセグメントａ〜ｌを順次点灯させてゆくことで、ディスク情報の読み取り開始から終了までの間に、図５（Ｇ）のように環状の表示ループＬが形成されるので、読み取りの進行状況を一直線で表示する場合に比べて、７セグメント表示器３１０〜３１３の個数を減らすことができる。
【００２６】
さらに、７セグメント表示器３１０〜３１３の外周を構成するセグメントをサイクリックに点滅させ、ディスク情報の読み取りの進行に伴って、点滅中のセグメントを順次連続点灯させてゆくようにしたので、セグメントの点滅によりディスク情報の読み取り中であることが視覚的にわかるとともに、点滅中のセグメントが順次連続点灯に切り替えられてゆくことにより、読み取りの進行状況を視覚的に把握することができ、ユーザにとってよりわかり易い表示となる。
【００２７】
図６は、上述した表示動作を表したフローチャートであって、メインＣＰＵ７とサブＣＰＵ８のそれぞれが実行する手順を示している。メインＣＰＵ７において、ディスク情報の読み込み（ロード）が開始されると（ステップＳ１１）、続いて、ロードが完了したか否かを判定し（ステップＳ１２）、完了してなければ（ステップＳ１２：ＮＯ）、読み込み中のディスク情報に対応するステータスをサブＣＰＵへ送信する（ステップＳ１３）。その後、ステップＳ１２へ戻ってディスク情報の読み込みを続け、ロード完了でなければ、ステップＳ１３の処理を反覆し、ロードが完了すれば（ステップＳ１２：ＹＥＳ）、処理を終了する。
【００２８】
一方、サブＣＰＵ８においては、メインＣＰＵ７からステータスを受信したか否かを監視し（ステップＳ１）、ステータスを受信すると（ステップＳ１：ＹＥＳ）、受信したステータスを解読して（ステップＳ２）、そのステータスが終了ステータス、すなわちステータス「７」か否かを判定する（ステップＳ３）。ステータスが終了ステータスでなければ（ステップＳ３：ＮＯ）、そのステータスに応じて図５で説明した表示処理を行った後（ステップＳ４）、ステップＳ１へ戻ってステップＳ２〜ステップＳ４の処理を実行する。また、ステータスが終了ステータスであれば（ステップＳ３：ＹＥＳ）、表示を終了する。
【００２９】
なお、図５の例では、ステータス「０」において、セグメントａ、ｂを連続点灯状態にしているが、ステータス「０」ではすべてのセグメントａ〜ｌをサイクリックに点滅表示させ、ステータス「１」になるとセグメントａ、ｂから順番に連続点灯してゆくようにしてもよい。また、図５の例では、ステータス「６」においてすべてのセグメントａ〜ｌが連続点灯状態になるようにしたが、ステータス「６」ではセグメントａ〜ｊまでを連続点灯状態とし、ステータス「７」になったときにすべてのセグメントａ〜ｌが連続点灯状態になるようにしてもよい。また、図５の例では、４個の７セグメント表示器３１０〜３１３を用いているが、ステータスが「０」〜「７」の８つであれば、３個の７セグメント表示器で読み取り進行状態を表示させることも可能である。
【００３０】
図７は、本発明の他の実施形態による表示例を示している。ここでは、７セグメント表示器３１０〜３１３により、読み取りの進行状況を表示するとともに、７セグメント表示器３０９により、読み取り段階を示すステータス情報を表示するようにしている。図の例では、７セグメント表示器３１０〜３１３には、図５（Ｆ）で示した進行状況表示がされており、７セグメント表示器３０９には、このときのステータスである「５」が表示されている。このようにすることで、現在読み取り中のディスク情報（ここではＶＭＧＩ）が何であるかを、ステータス情報から知ることができる。この図７の実施形態は、以下に述べる各実施形態にも適用することが可能である。
【００３１】
図８は、本発明の他の実施形態による表示例を示している。本実施形態では、ステータス「０」において７セグメント表示器３１０のセグメントａ、ｂを連続点灯させる点は図５の場合と同様であるが、連続点灯したセグメント以外のセグメントｃ〜ｌは消灯状態とする。そして、ステータスが「１」になると、セグメントｃを点滅状態で点灯させ、ステータスが「２」になると、セグメントｃを点滅から連続点灯へ切り替えるとともに、セグメントｄを点滅状態で点灯させる。以後同様にして、ステータスが１つ進むごとに、それまでのセグメントはすべて連続点灯とし、現在のステータスに対応するセグメントのみを点滅状態にして、最終的には、図５の場合と同様の表示ループＬを形成する。これによると、読み取り進行状況を表す点灯セグメントのうち先頭のセグメントが点滅することによって、進行状況がわかり易いものとなる。
【００３２】
本発明は、上述した実施形態の他にも種々の形態を採用することができる。たとえば、図８の実施形態では、先頭のセグメントを点滅させるようにしたが、図９のように、セグメントを点滅させることなく、順次連続点灯させることのみによって、ディスク情報の読み取り進行状況を表示するようにしてもよい。
【００３３】
また、上記各実施形態においては、７セグメント表示器の外周を構成するセグメントａ〜ｌを順次点灯させてゆくことで、環状の表示ループＬが形成されるようにしたが、図１０のように、必要な数の７セグメント表示器３０７〜３１３を用い、それぞれの中央のセグメントがステータスに対応して順次連続点灯してゆくようにしてもよい。この場合、先頭のセグメントを点滅させるようにしてもよい。
【００３４】
また、以上の実施形態においては、光ディスク装置としてＤＶＤプレーヤを例に挙げたが、本発明はＣＤプレーヤなどの他の光ディスク装置にも適用することができる。
【００３５】
【発明の効果】
以上述べたように、本発明によれば、７セグメント表示器のセグメントを順次点灯させることにより、ディスク情報の読み取り進行状況を表示するようにしたので、ユーザはこの点灯状態によって、読み取りの段階を視覚的に把握することができ、再生開始までの待ち時間を容易に予測することができる。
【図面の簡単な説明】
【図１】本発明に係る光ディスク装置の電気的構成を示したブロック図である。
【図２】光ディスク装置のフロントパネルを示す正面図である。
【図３】表示部の拡大図である。
【図４】ディスク情報読み取りのステータスの例である。
【図５】本発明による表示例を示した図である。
【図６】表示動作を示したフローチャートである。
【図７】本発明の他の実施形態による表示例を示した図である。
【図８】本発明の他の実施形態による表示例を示した図である。
【図９】本発明の他の実施形態による表示例を示した図である。
【図１０】本発明の他の実施形態による表示例を示した図である。
【図１１】従来例を示す図である。
【符号の説明】
１    光ディスク
７    メインＣＰＵ
８    サブＣＰＵ
１０  表示部
３０１〜３１３  ７セグメント表示器
Ａ    光ディスク装置
Ｌ    表示ループ
ａ〜ｌ  セグメント
【図１】
2004259334.tif 000003
【図２】
2004259334.tif 000004
【図３】
2004259334.tif 000005
【図４】
2004259334.tif 000006
【図５】
2004259334.tif 000007
【図６】
2004259334.tif 000008
【図７】
2004259334.tif 000009
【図８】
2004259334.tif 000010
【図９】
2004259334.tif 000011
【図１０】
2004259334.tif 000012
【図１１】
2004259334.tif 000013